(57)【要約】【課題】定在波による影響を抑えて音響効果を高めることができるスピーカユニット及びそれを備えた遊技機を提供することにある。【解決手段】  音を出力するスピーカ１１と、該スピーカ１１の後方を覆うケース体２０とを備え、前記ケース体２０内に所定の肉厚Ｄを有し前記スピーカ１１の後方を内包する内面をスピーカ１１の前面側から後方に向かうに従いスピーカ１１の中心軸線Ｏ２と直交する断面の面積が小となる凹形状に形成した吸音材１２を設け、吸音材１２での吸音効率を高めるようにした。【選択図】図４
2010284240.tif 000002
【特許請求の範囲】
【請求項１】
音を出力するスピーカと、該スピーカの後方を覆うケース体とを備え、
前記ケース体内に所定の肉厚を有し前記スピーカの後方を内包する内面をスピーカの前面側から後方に向かうに従いスピーカの中心軸線と直交する断面の面積が小となる凹形状に形成した吸音材を設けたことを特徴とするスピーカユニット。
【請求項２】
前記吸音材は、硬質層と該硬質層より剛性の低い軟質層とで積層形成され、前記軟質層を内面側とした請求項１に記載のスピーカユニット。
【請求項３】
前記吸音材の曲面の曲率中心が前記スピーカの略中心軸線上にあることを特徴とする請求項１又は２記載のスピーカユニット。
【請求項４】
前記ケース体は、前記スピーカの後方を覆う後方内面を凹状の曲面に形成したことを特徴とする請求項１乃至３のいずれかに記載のスピーカユニット。
【請求項５】
前記スピーカの後方を覆うケース体の周側面に前記スピーカの配線を引き出す透孔を開設し、前記吸音材の前記透孔に対応する部位にスリットを形成したことを特徴とする請求項１乃至４のいずれかに記載のスピーカユニット。
【請求項６】
請求項１乃至５のいずれかに記載のスピーカユニットを備えたことを特徴とする遊技機。
【発明の詳細な説明】
【技術分野】
【０００１】
本発明は、スピーカユニット及びそれを備えた遊技機に関するものである。
【背景技術】
【０００２】
従来から、ぱちんこ機、アレパチ機等の弾球遊技機やスロットマシン、パチスロ機等の回胴式遊技機を含む種々の遊技機では、ランプ、ＬＥＤ等の発光手段を用いた様々な演出表示と並び、スピーカを用いた効果音・合成音声等の音演出によって、遊技者の興趣を高め遊技が単調になるのを防ぐ工夫がなされている。これらのスピーカは、振動板（コーン）を前後に振動させることにより空気を振動させて音を作るため、後方にも音を出している。コーンが前に動いたとき、スピーカの前の空気は圧縮されて濃い空気となり、後の空気は逆に薄い空気になるので、反対の振幅を持つことにより混ざり合って打ち消しあうために貧弱な音になってしまう現象が生じる。
【０００３】
特にエンクロージャが箱状であると、スピーカと対向する壁が平行に向き合っており、後方に発生した音がエンクロージャ内で平行に向かい合った壁で反射して、固有の共振すなわち定在波が起こり、音波の音圧特性に影響を与え、発生する音の強弱が強く発生するとその周波数だけが響いて強調され、音が混濁して音の乱れの原因となる。
【０００４】
そこで、例えば遊技機に設けられるスピ−カーとして、スピーカの背面側に開口部を形成したエンクロージャによりスピーカ装置を構成し、エンクロージャの内部に定在波を発生させないために吸音材を貼り付けた技術が開示されている（特許文献１参照）。
【先行技術文献】
【特許文献】
【０００５】
【特許文献１】特開２００４−１８７９１１号公報
【発明の概要】
【発明が解決しようとする課題】
【０００６】
しかしながら、背景技術に記載のスピーカのエンクロージャは、スピーカと対向する平行な壁面に吸音材を貼り付けているだけのため、平行な壁に反射した音が吸音材で吸収しきれなかった場合、そのまま音の強弱（定在波）が発生し、再生帯域に乱れを生じさせて音質を劣化させ、折角の音響効果が損なわれる要因となっている。このように、スピーカと対向する壁に吸音材を設けても、吸音材を余程厚く形成しないと完全に吸収することができない。そのためには、エンクロージャを大きくしなければならず、スピーカ装置が大型化してしまう問題がある。
【０００７】
そこで本発明は、定在波による影響を抑えて音響効果を高めることができるスピーカユニット及びそれを備えた遊技機を提供することを目的とする。
【課題を解決するための手段】
【０００８】
上記目的を達成するために、本発明は、音を出力するスピーカと、該スピーカの後方を覆うケース体とを備え、前記ケース体内に所定の肉厚を有し前記スピーカの後方を内包する内面をスピーカの前面側から後方に向かうに従いスピーカの中心軸線と直交する断面の面積が小となる凹形状に形成した吸音材を設けたことを特徴とする。スピーカから遠ざかるに従い断面積が小となる凹形状とは、例えば凹状の半球状であり、錐体形（多角錐，円錐）である。この構成により、スピーカの軸方向（後方）に発生する音は吸音材の漸小部（縮径部）で、吸音材が音の直進方向に対して傾斜した状態になるので、吸音材を通過する際に肉厚より長い距離を通ることになる。したがって、吸音されやすく定在波が生じにくくなり、音の乱れを防止することができる。
【０００９】
また、前記吸音材は、硬質層と該硬質層より剛性の低い軟質層とで積層形成され、前記軟質層を内面側としたことを特徴とする。この構成により、所定の形状を維持すると共に軟質層で確実に不要共振を吸収することができる。
【００１０】
また、前記吸音材の曲面の曲率中心が前記スピーカの略中心軸線上にあることを特徴とする。この構成により、不要共振を均等に吸収することができる。
【００１１】
また、前記ケース体は、前記スピーカの後方を覆う後方内面を凹状の曲面（半球状）に形成したことを特徴とする。この構成により、吸音材を透過した音が半球状の壁に複数回当たることにより、反射回数を増加させることができるため、吸音のために吸音材の内部を何度も通過させ音を捉えて不要共振を吸収し、確実に吸音させることができる。
【００１２】
また、前記スピーカの後方を覆うケース体の周側面に前記スピーカの配線を引き出す透孔を開設し、前記吸音材の前記透孔に対応する部位にスリットを形成したことを特徴とする。この構成により、配線が吸音材に挟まれた状態で透孔から引き出されるので、配線引き出した透孔からの音漏れを防止することができる。
【００１３】
また、本発明は、上記記載のスピーカユニットを遊技機に備えたことを特徴とし、音響効果の優れた遊技機とすることができる。また、例えば上記記載のいずれかのスピーカユニットを、遊技盤を透視する窓部を有する前枠を備えた遊技機の装飾部の一部として組み付けるようにしてもよい。このとき、ケース体を光透過性樹脂により形成し、ケース体内に発光手段を設けるのが好ましく、スピーカユニットにより優れた音響効果と共に光による装飾効果を引き立たせることができる。
【００１４】
また、前記ケース体の側壁部全周に亘り前記内枠の収容部の内壁面との間に制震材（制振材）を介在させるのが好ましく、スピーカの振動が前枠に伝わることがないため、ビビリ音による音響効果の低下を招くことがない。
【００１５】
前記吸音材とケース体との間に音の反射空間部を形成し、反射空間部で複数回音を反射させ、吸音材での吸音回数を増やして吸音効果を高めることで、優れた再生音を得ることができる。
【発明の効果】
【００１６】
本発明においては、スピーカに対向する後方内面を曲面状に形成した吸音材を設けたことにより、定在波が生じにくくなり、音の乱れを防止することができ、音響効果の高いスピーカユニットとすることができる。
【００１７】
また、音響効果の高いスピーカユニットを遊技機に備えることで、装飾性の高い遊技機とすることができる。
【図面の簡単な説明】
【００１８】
【図１】ぱちんこ機の正面図である。
【図２】スピーカユニットの斜視図である。
【図３】図２のスピーカユニットの分解斜視図である。
【図４】図２のスピーカユニットの側断面図である。
【図５】他のスピーカユニットの要部側断面図である。
【発明を実施するための形態】
【００１９】
以下に本発明を図面を参照して説明する。遊技機としてのぱちんこ機１は、図１に示すように、そのぱちんこ機１の外郭を形成する額縁状の外枠２を備え、その外枠２の前面にヒンジ３により一側（ぱちんこ機１を正面視して左側）を枢支して、その前面側に向かって片開き可能に内枠４が支持されている。内枠４には、ガイドレール５により遊技領域６ａが形成された遊技盤６が装着されている。また、内枠４の前面にその内枠４の横幅寸法と略同じ横幅寸法を有するように構成され、遊技盤６の遊技領域６ａをガラス等の透明板を介して視認し得る窓部１９を備えた前枠７がヒンジにより開閉自在に設けられている。
【００２０】
また、前枠７は前枠本体７ｃの前面に装飾カバー７ａを備え、前枠７の上端周縁部であって、遊技領域６ａの外側に位置する左右の角隅部には、効果音・合成音声等による音演出を行うためのスピーカユニット１０，１０が、スピーカ１１，１１を手前側（遊技者側）に向ける形態で設けられている。前枠７（装飾カバー）にはスピーカユニット１０，１０（スピーカー１１，１１）の配置位置に対応して窓部７ｂ，７ｂがそれぞれ形成され、前枠７の回動閉鎖状態において、スピーカユニット１０，１０の手前側部分（先端部分）は前枠７の窓孔７ｂ，７ｂからさらに前方に突出している。
【００２１】
なお、本明細書において、上下方向とは遊技盤６の盤面に沿う形で遊技球が流下する方向（例えば、鉛直方向）を意味する。また、左右方向とは遊技盤６の盤面に沿う形で上下方向と交差する方向（例えば、水平方向）を意味し、遊技者側からみて左側、右側をいう。さらに、前後方向とは遊技盤６と交差（例えば、直交）する方向を意味し、遊技者に対面する側（手前側）が前面側（前方側）であり、その反対側（奥側）が後面側（後方側）となる。
【００２２】
図２乃至図４に示すように、このスピーカユニット１０は、前面側に向けて音出力可能に配置されるスピーカ１１と、スピーカ１１を内蔵する光透過性樹脂材よりなるケース体２０と、スピーカ１０の後方に配置されてスピーカ音の伝搬を吸収する吸音材１２と、ケース体２０に向けて光照射するＬＥＤ１３ａを有する発光基板１３（発光手段）とを備えている。このように、スピーカ１１及び発光基板１３がケース体２０内に一体に組み付けられているので、ぱちんこ機１（図１参照）に対するスピーカユニット１０の組付け面積が少なく小型化が図れ、しかも発光基板１３がケース体２０へ光照射して光らせるためスピーカ設置領域の装飾効果を高めることができる。なお、スピーカユニット１０を前枠７に装着する際には、ケース体２０と前枠７（装飾カバー７ａ）との直接接触を防止するための制震材１４（緩衝部材）を介して装着される。
【００２３】
ケース体２０は、前面が開放しスピーカ１１を内部に収容する椀形状（具体的には、前面側ほど断面積が大きくなる椀形状）の後ケーシング２１と、スピーカ１１で発生した音を出力するための円形状の開口部２３が貫通形成され、発光基板１３を内部に収容する空洞（具体的には、後面側ほど断面積が大きくなる中空状）を有する環状の前ケーシング２２と、両ケーシング２１，２２に挟まれかつスピーカ１１が固着される固定座２４とを含んで構成される。固定座２４は、スピーカ１１の対向部が開口した円環状のベース部を備え、開口部に爪楊枝が入らない大きさ（直径２ｍｍ以下）の小孔２５ａが形成されたメッシュ板２５が設けられ、周縁部には、ねじ孔２６が設けられている。前ケーシング２２の内面側（空洞内）にはねじ孔２７ａが形成されたボス部２７が複数箇所に突設されている。後ケーシング２１は、内面後方が曲面状に形成され、外周縁部を構成するフランジ部２１ａにねじ孔２８が形成されている。また、後ケーシング２１の外側面にスピーカユニット１０を前枠本体７ｃに仮固定する係止片３２を備えている。前ケーシング２２と後ケーシング２１とは、固定座２４を挟み、複数（例えば６本）のビス（締結部材）によって一体連結（共締め）されている（図４参照）。なお、後ケーシング２１の側方にはスピーカ１１の配線を引き出す透孔２９が形成され、後方には透孔２９から引き出した配線を接続する中継基板３０が取り付けられる（ビス着される）基板収納部が形成されている。
【００２４】
制震材１４は、ブチルゴム，エストラマー系樹枝等により帯環状に形成され、前ケーシング２２の前方周縁を覆い、かつ窓孔７ｂを包囲して前枠７（装飾カバー７ａ）の後面と接触することにより、開口部２３から出たスピーカ音が前枠７の後面と前ケーシング２２の外周面との隙間から漏れるのを防止するとともに、前ケーシング２２と前枠７（装飾カバー７ａ）と直接的に接触するのを防止する（図４参照）。
【００２５】
吸音材１２は、所定の肉厚Ｄを有して、スピーカ１１の後方を内包する内面をスピーカ１１の前面側の断面積に比較してスピーカ１１から後方に向かうに従い径方向（スピーカ１１の中心軸線Ｏ２と直交する方向）の断面積が小となる凹形状（半球状）に形成している。言い換えれば、スピーカ１１の中心軸線Ｏ２を含む断面における中心軸線Ｏ２と直交する方向の幅が漸次小となり、吸音材１２の内部空間のスピーカ１１の中心軸線Ｏ２と直交する方向の断面積が漸次小となっている。また、外形は後ケーシング２１の内面に略沿うような形状をしている。吸音材１２は、図４拡大図に示すように所定の肉厚のグラスウール１２ｂ（軟質層）の外側にカーボン調のフェノール１２ａ（硬質層）を薄く貼って金型により型取りして形成される。このように、外側に硬化性のフェノール１２ａを貼ることで形状を安定させることができ、装着が容易となる。なお、吸音材１２には、後ケーシング２１の透孔２９に対応してスリット１５が形成されており、配線を透孔２９に通す際にはこのスリット１５を介して通すことになる。
【００２６】
発光基板１３（発光手段）は、前ケーシング２２の中空部に収納される発光基板１３がドーナツ型に形成され、その前面に前ケーシング２２に向けて発光するようにＬＥＤ１３ａを略均等に実装している。
【００２７】
ここで、スピーカユニット１０の組立ての一例について図４を参照して説明する。後ケーシング２１に吸音材１２を装着し、スピーカ１１を取付けた固定座２４をスピーカ１１が吸音材１２の内部に収容されるように後ケーシング２１のフランジ部２１ａの外周に位置合わせして、前ケーシング２２を固定座２４の外周に位置合わせして、後ケーシング２１側からねじ止めされて一体に組み立てられ、前ケーシング２２の前方周縁に制震材１４が取り付けられる。このとき、吸音材１２の曲面の曲率中心Ｏ１がスピーカ１１の略中心軸線Ｏ２上にある。また、ＬＥＤ１３ａとスピーカ１１の配線は、吸音材１２に挟まれて後ケーシング２１の透孔２９から引き出されて中継基板３０のコネクタに接続される。そして、透孔２９は後ケーシング２１の内側で吸音材１２によって閉塞されており、透孔２９からの音漏れを防止することができる。また、透孔２９から引き出される配線はメッキシールにより隠蔽され遊技者から目立たないようにしている。
【００２８】
上記構成のスピーカユニット１０は、前枠７（装飾カバー７ａ）に開設した窓部７ｂに対応して設けられ、前枠７の本体部７ｃに形成された取付凹部の係止部に係止片３２を回転係止することにより仮固定し、装飾カバー７ａにより挟持して前枠７に取り付けられる。そして、スピーカ１１から音を発生させると、スピーカ１１の後方へも音が発生される。後方に発生した音は、空気を媒体（空気を振動）にして伝わるため、音が吸音材１２の内部を通過すると、空気がグラスウール１２ｂの繊維を震わせることで振動エネルギーが消耗・減衰して吸音される。このとき、図４に示すように吸音材１２が音の直進方向に対して傾斜した状態にあるので、吸音材１２を通過する際には肉厚Ｄに対して斜めに入るため、吸音材１２内を肉厚Ｄより長い距離Ｌを通過することになる（図４拡大図参照）。また、吸音材１２の表面又は硬質層１２ａで反射した音は、吸音材１２内面が半球状の曲面により形成されているため、スピーカ１１に向って直接反射することなく吸音材１２の周面に向って反射されるので、さらにそこで吸音材１２によって確実に吸音される。また、後方への音が吸音材１２を通過したとしても、後ケーシング２１の内面形状を半球状にしているため、吸音材１２で音の透過を許した後も指向性のある音が半球状の壁に複数回当たることにより、反射回数を増加させることができるため、吸音のために吸音材１２の内部を何度も通過させ音を捉えて不要共振を吸収し、確実に吸音させることができる。このように、後ケーシング２１内の不要共振を吸収し、定在波による影響を抑えてスピーカ１１の前方から発生する音響効果を高めることができる。
【００２９】
また、前ケーシング２２内に発光基板１３（発光手段）を設けるようにしたので、スピーカ１１から出力される音声と発光基板１３のＬＥＤ１３ａの発光態様との組み合わせによる多彩な演出効果が得られる。
【００３０】
また、図５に示すように吸音材１２とケース体２０（後ケーシング２１）との間に音の反射空間部Ｓを形成してもよく、この反射空間部Ｓを形成することにより、同図矢印で示すように音が後ケーシング２１と吸音材１２の硬質層１２ａとで複数回反射され吸音される。このように、吸音材１２で吸音される吸音回数を増やして優れた再生音を得ることができ、吸音効果を高めることができる。実施例において後ケーシング２１の曲面の曲率中心Ｏ３がスピーカ１１の略中心軸線Ｏ２上に位置している。
【００３１】
なお、吸音材１２は、スピーカ１１から離間するに従い徐々に断面積が小となる錐形状（多角錐，円錐）に形成してもよい。また、吸音材１２はグラスウールに代えて空気（音）を透過させる多孔質の材料（スポンジ，フェルト）を用いてもよい。例えば、芯材としてプレス成形して固められたフェルト等（硬質層）に、柔らかいフェルト（軟質層）を貼り付けて加熱し、軟質層を内面側としてプレス成形してもよい。また、熱硬化性樹脂をバインダーとしてフェルトに含浸させて、加熱しながらプレス成形して硬質層としてもよい。
【００３２】
上記実施例において、遊技機としてぱちんこ機を例に説明したが、雀球遊技機，アレンジボール式遊技機、さらに回胴式又は画像式のスロット遊技機等にも本発明を適用することができる。また、実施例に示した内容に限定されるものではなく、この発明の要旨を逸脱しない範囲で、種々の形態を実施し得るものである。
【符号の説明】
【００３３】
１          ぱちんこ機（遊技機）
７          前枠
７ａ        装飾カバー
１１        スピーカ
１０        スピーカユニット
１２        吸音材
１２ａ      フェノール（硬質層）
１２ｂ      グラスウール（軟質層）
２０        ケース体
２１        後ケーシング（ケース体）
２２        前ケーシング（ケース体）
２９        透孔
Ｄ          肉厚
Ｏ１        曲率中心
Ｏ２        中心軸線
【図１】
2010284240.tif 000003
【図２】
2010284240.tif 000004
【図３】
2010284240.tif 000005
【図４】
2010284240.tif 000006
【図５】
2010284240.tif 000007